(57)【特許請求の範囲】
【請求項１】
ウエブに比較的大径な孔部が形成された長尺物がその長さ方向を揃えて並列された配列体を結束する長尺物の結束装置であって、配列体の両側縁を横切りその底面を受ける下枠片の両端に、前記配列体の側面に沿って立ち上がる側枠片を一体に立ち上げた上開放のコ字状基体と、下方に張り出した張り出し部に細溝状の係合溝を有するとともに、前記コ字状基体に着脱自在に取付きかつ取付けにより前記側枠片の間を継ぐ上枠片とを具え、この上枠片は、長尺物の孔部を通るとともにその係合溝が長尺物の孔部の周縁を遊嵌して、長尺物の上方移動と、長さ方向の位置ずれを防止することを特徴とする長尺物の結束装置。
【請求項２】
上のフランジにボルト挿通孔が配された長尺物がその長さ方向を揃えて並列された配列体を結束する長尺物の結束装置であって、配列体の両側縁を横切りその底面を受ける下枠片の両端に、前記配列体の側面に沿って立ち上がる側枠片を一体に立ち上げた上開放のコ字状基体と、下方にのびる係合ピンが設けられるとともに、前記コ字状基体に着脱自在に取付きかつ取付けにより前記側枠片の間を継ぐ上枠片とを具え、この上枠片は前記取付けによりその係合ピンが長尺物挿通孔に遊挿されて、長尺物の長手方向及び巾方向の位置ずれを防止することを特徴とする長尺物の結束装置。
【発明の詳細な説明】
【０００１】
【発明の属する技術分野】
本発明は、形鋼材等の長尺物を並列してなる配列体を結束する長尺物の結束装置に関し、詳しくは前記配列体の保管、輸送、クレーン吊下げ等の作業を便宜に行うとともに作業時の荷崩れを確実に防止しうる長尺物の結束装置に関する。
【０００２】
【従来の技術】
近年、梁や柱などの家屋架構体を、Ｉ型鋼やＨ型鋼などの形鋼材で形成した鉄骨構造の家屋が普及している。そしてこのような形鋼材は、通常、パレット上で長さ方向を揃えて並べ置きされ、かつベルト等にて結束固定された状態で、倉庫から建築現場への輸送、或いは建築現場へのクレーンによる搬入、保管等が行われている。
【０００３】
【発明が解決しようとする課題】
しかしながら、このような従来の結束方法では、使用済みパレットが邪魔となり、建築現場における作業スペースや作業性を阻害するとともに、その返却においても大きな労力を要することとなる。又輸送時の振動、或いはクレーン吊下げ時における揺れや傾斜等によって荷崩れが生じる場合があり、事故の発生や形鋼材の損傷を招く恐れがある。
【０００４】
そこで本発明は、長尺物の結束及びその取外しを簡便に行う一方、パレットの使用を排除でき、返却回収作業を容易とししかも返却回収までの間の建築現場における保管スペースの縮小を図りうるとともに、結束状態における荷崩れを確実に防止しうる長尺物の結束装置の提供を目的としている。
【０００５】
【課題を解決するための手段】
前記目的を達成するために、本願請求項１の発明は、ウエブに比較的大径な孔部が形成された長尺物がその長さ方向を揃えて並列された配列体を結束する長尺物の結束装置であって、配列体の両側縁を横切りその底面を受ける下枠片の両端に、前記配列体の側面に沿って立ち上がる側枠片を一体に立ち上げた上開放のコ字状基体と、下方に張り出した張り出し部に細溝状の係合溝を有するとともに、前記コ字状基体に着脱自在に取付きかつ取付けにより前記側枠片の間を継ぐ上枠片とを具え、この上枠片は、長尺物の孔部を通るとともにその係合溝が長尺物の孔部の周縁を遊嵌して、長尺物の上方移動と、長さ方向の位置ずれを防止することを特徴としている。
【０００６】
又請求項２の発明では、上のフランジにボルト挿通孔が配された長尺物がその長さ方向を揃えて並列された配列体を結束する長尺物の結束装置であって、配列体の両側縁を横切りその底面を受ける下枠片の両端に、前記配列体の側面に沿って立ち上がる側枠片を一体に立ち上げた上開放のコ字状基体と、下方にのびる係合ピンが設けられるとともに、前記コ字状基体に着脱自在に取付きかつ取付けにより前記側枠片の間を継ぐ上枠片とを具え、この上枠片は前記取付けによりその係合ピンが長尺物挿通孔に遊挿されて、長尺物の長手方向及び巾方向の位置ずれを防止することを特徴としている。
【０００７】
【発明の実施の形態】
以下、本発明の実施の一形態を、図示例とともに説明する。
図１は、長尺物Ｗが家屋の梁や柱などの架構体をなす形鋼材であり、本発明の結束装置１が、この長尺物Ｗを結束し、建築現場にクレーンを用いて吊り下げて搬入している場合を例示している。なお長尺物Ｗは、例えば商品倉庫内で結束装置１を用いて結束され、この結束状態で、商品倉庫から建築現場までの輸送、建築現場へのクレーンによる搬入、及び建築現場での仮置きが行われる。
【０００８】
又同図には、前記長尺物Ｗが、床梁Ｗ１である場合が示されており、本例では、この床梁Ｗ１は、ウエブ５０の上下にフランジ５１を設けたＩ型鋼からなる基体５２を有し、その上端には壁パネル取付け用の立上げ片５３を突設している。又床梁Ｗ１には、軽量化を図るため、前記ウエブ５０に、比較的大径な孔部５４が適宜の間隔（通常、基本モジュール或いはその整数倍の間隔）を有して形成されている。
【０００９】
そして以下に、本発明の結束装置１が、この床梁Ｗ１である長尺物Ｗの配列体ＷＡを結束する場合を例に取って説明する。
【００１０】
前記結束装置１は、配列体ＷＡの底面を受ける下枠片２を有する上開放のコ字状基体３と、このコ字状基体３に着脱自在に取付きかつ取付けにより前記上開放を閉じる上枠片４とを具える。
【００１１】
前記コ字状基体３は、図２、３に示すように、前記配列体ＷＡの両側縁を横切って巾方向にのびることにより各長尺物Ｗの底面を受ける下枠片２の両端に、前記配列体ＷＡの側面に沿って立ち上がる側枠片５を一体に立ち上げている。
【００１２】
なお前記下枠片２は、本例では、断面方形の角鋼管からなる基体７を有し、その上面下面に、木質材からなる保護枠材９Ｕ、９Ｌを添設している。この上の保護枠材９Ｕは、その上面で載置する配列体ＷＡ（長尺物Ｗ）が傷付くのを防止する役目を果たし、又下の保護枠材９Ｌは、結束装置１で結束した配列体ＷＡを多段に積み上げる際などに下の配列体ＷＡが傷付くのを防止する役目を果たしている。
【００１３】
又前記側枠片５として、本例では、間隔Ｇを隔てた上下の枠片部５Ａ、５Ｂ間を、側板片５Ｃによって連結したものを例示しており、この間隔Ｇによって、側枠片５は、前記巾方向に貫通する上枠片４の挿通部１０を形成している。なお各枠片部５Ａ、５Ｂ、及び側板片５Ｃは、鋼材からなり溶着などによって前記基体７と強固に一体固定される。
【００１４】
又前記下の枠片部５Ｂの上面には、前記上枠片４を着脱自在に取付けるボルト金具等のネジ軸１１が突出するとともに、前記上の枠片部５Ａの上端には、クレーン吊り下げ用の例えばＵ字状のフック部１２を設けている。
【００１５】
次に、前記上枠片４は、本例では、一方の前記挿通部１０から挿通されかつ長尺物Ｗに設けた前記孔部５４を通った後、その両端部が前記ネジ軸１１に取り付けられ、これによって配列体ＷＡを結束する。
【００１６】
詳しくは、前記上枠片４は、前記ネジ軸１１にナット止めされるフランジ部１３Ａ、１３Ａの間を胴部１３Ｂで継いだ鋼材からなる基体１３を有し、前記胴部１３Ｂを例えば逆Ｖ字状断面とすることにより、曲げや捻り変形に対する抗力を高めている。又上枠片４は、前記基体１３の下面に、配列体ＷＡの上面が傷付くのを防止する木質材からなる保護枠材１４を取り付けている。
【００１７】
該保護枠材１４は、図４に拡大して示すように、前記基体１３の下縁より下方に張り出して配されるとともに、この張り出し部分には、長尺物Ｗの前記孔部５４周縁を遊嵌して保持する細溝状の係合溝１６を形成している。
【００１８】
そして前記係合溝１６は、長尺物Ｗが上方移動する際、その溝底面１６Ｓが前記孔部５４の端面と当接することによりその移動を阻止できる。従って、本例では、この係合溝１６によって、前記長尺物Ｗに係合してこの長尺物Ｗの上方移動を防止する第１の係止部１７を構成してる。
【００１９】
又溝底面１６Ｓは、長尺物Ｗが長手方向に移動する際にも、孔部５４の端面と当接することによりその移動を阻止できる。従って、この係合溝１６は、各長尺物に係合してこの長尺物の長さ方向の位置ずれを防止する第２の係止部１９をも構成している。そのために、本例では、前記溝底面１６Ｓが、前記孔部５４の端面に沿って円弧状に湾曲する好ましい場合を例示しているが、図４に一点鎖線で例示する如く直線状に形成しても良い。
【００２０】
又係合溝１６は、長尺物Ｗが巾方向に移動する際にも、溝壁が当接することによりその移動を阻止できる。即ち、本例では、係合溝１６は、長尺物Ｗの巾方向の位置ずれを防止する第３の係止部２０としても機能しうる。
【００２１】
このように、本実施形態の結束装置１は、コ字状基体３の側枠片５、５の間に上枠片４を架け渡して例えばナット止めすることにより、下枠片２上で並べ置きした長尺物Ｗを簡便に結束できる。この時、下枠片２がパレットの役目を果たし、長尺物Ｗを床面などから浮かして載置でき、フォークリフトなどによる荷揚げをも便宜とする。又小型であるため、その返却回収作業を容易とし、かつ使用済みの結束装置１の建築現場における保管スペースを大幅に縮小できる。
【００２２】
又上枠片４に第１、第２の係止部１７、１９を設けているため、結束状態における荷崩れを確実に防止しうる。特に第３の係止部２０を設けた場合には、巾方向へのズレを防げるため、通常よりも少ない本数の長尺物Ｗを結束する場合にも、荷崩れを確実に防止できる。又側枠片５の上端に、フック部１２を設けた場合には、玉掛け作業を的確にかつ能率良く行いうる。
【００２３】
次に、結束装置１が、屋根梁Ｗ２の結束用として形成された場合を図５、６に例示する。ここで、屋根梁Ｗ２は、本例では、前記床梁Ｗ１に比して高さが低いＩ型鋼からなり、その上下のフランジ５１には、ボルト止め用の複数のボルト挿通孔５５が、適宜の間隔（通常、基本モジュール或いはその整数倍の間隔）を有して配されている。そして本例では、上のフランジ５１に配されるボルト挿通孔５５を利用して、上枠片４との係合が行われる。
【００２４】
詳しくは、前記上枠片４は、本例では、側枠片５の上端間に架け渡して配される。即ち上枠片４は、両端のフランジ部１３Ａが、前記側枠片５上面のネジ軸１１にナット止めされる基体１３を有し、その下面には木質の保護枠材１４が取り付けられる。
【００２５】
そして、図７に拡大して示すように、長尺物Ｗが上方移動する際、保護枠材１４の下面１４Ｓが上のフランジ５１と当接することによりその移動を阻止できる。従って、本例では、保護枠材１４の下面１４Ｓによって、前記長尺物Ｗに係合してこの長尺物Ｗの上方移動を防止する第１の係止部１７を構成している。
【００２６】
又前記上枠片４には、例えば前記基体１３に溶接等によって固定され、前記
保護枠材１４を貫通して下方に突出してのびる係合ピン２１が設けられる。又この係合ピン２１は、上枠片４の取付けにより、長尺物Ｗの前記ボルト挿通孔５５内に遊挿される。その結果、この係合ピン２１は、長尺物Ｗが長手方向及び巾方向の双方に移動する際にも、その移動を阻止できる。従って、本例では、前記係合ピン２１は、長尺物Ｗの長手方向及び巾方向の位置ずれを防止する第２、第３の係止部１９、２０を構成している。
【００２７】
以上、本発明の特に好ましい実施形態について詳述したが、本発明は図示の実施形態に限定されることなく、種々の態様に変形して実施しうる。
【００２８】
【発明の効果】
本発明は叙上の如く構成しているため、長尺物の結束及びその取外しを簡便に行う一方、パレットの使用を排除でき、返却回収作業を容易とししかも返却回収までの間の建築現場における保管スペースの縮小を図りうる。又結束状態における荷崩れを確実に防止でき、作業の安全性を確保するとともに、長尺物の損傷なども抑制できる。
【図面の簡単な説明】
【図１】本発明の結束装置の使用状態の一例を示す斜視図である。
【図２】その主要部を示す斜視図である。
【図３】その断面図である。
【図４】係合部を説明する拡大断面図である。
【図５】結束装置の他の例を示す斜視図である。
【図６】その断面図である。
【図７】係合部を説明する拡大断面図である。
【符号の説明】
１      結束装置
２      下枠片
３      コ字状基体
４      上枠片
５      側枠片
１２    フック部
１７    第１の係止部
１９    第２の係止部
Ｗ      長尺物
ＷＡ    配列体
【図１】
0003749457.tif 000002
【図２】
0003749457.tif 000003
【図３】
0003749457.tif 000004
【図４】
0003749457.tif 000005
【図５】
0003749457.tif 000006
【図６】
0003749457.tif 000007
【図７】
0003749457.tif 000008